(57)【要約】【課題】  天井面や壁面上部への配光を多くすることができ、薄型で、梱包の簡易化が可能な照明器具を提供すること。【解決手段】  環形蛍光灯２と、環形蛍光灯２の中心位置に配置され、環形蛍光灯２の法線方向に水平に伸びて環形蛍光灯２を支持する複数のアーム３を有する器具本体４と、この器具本体４の上面側の中央部に設けられた器具取付部５とを備えた照明器具であって、環形蛍光灯２とアーム３と器具本体４とが略同一平面上に配置されてなる。【選択図】図１
2005235598.tif 000002
【特許請求の範囲】
【請求項１】
環形蛍光灯と、
この環形蛍光灯の中心位置に配置され、環形蛍光灯の法線方向に水平に伸びて環形蛍光灯を支持する複数のアームを有する器具本体と、
この器具本体の上面側の中央部に設けられた器具取付部とを備えた照明器具であって、
前記環形蛍光灯と前記アームと前記器具本体とが略同一平面上に配置されてなることを特徴とする照明器具。
【請求項２】
前記アームが３本以上であり、かつ奇数本であることを特徴とする請求項１に記載の照明器具。
【請求項３】
前記アームの内部に空間部が形成され、この空間部に前記環形蛍光灯の点灯及び点灯状態の制御を行うための点灯装置が収納されてなり、アームによって器具本体が形成されてなることを特徴とする請求項１又は２に記載の照明器具。
【請求項４】
前記点灯装置が環形蛍光灯を点灯する点灯回路部と、環形蛍光灯の点灯状態を制御する制御回路部とから構成され、この点灯回路部と制御回路部がそれぞれ別々のアームの内部に収納されてなることを特徴とする請求項３に記載の照明器具。
【請求項５】
前記アームが絶縁材料からなり、前記点灯装置が金属により覆われていることを特徴とする請求項３又は４に記載の照明器具。
【請求項６】
前記照明器具は、外部からのリモコン信号を受信して環形蛍光灯の点灯状態を変化させるとともに環形蛍光灯の点灯状態及び寿命時期を表示するリモコン制御部を備えてなり、このリモコン制御部が前記点灯装置が収納されたアームとは別のアームに収納されてなることを特徴とする請求項３乃至５のいずれかに記載の照明器具。
【発明の詳細な説明】
【技術分野】
【０００１】
本発明は、環形蛍光灯を備えた照明器具に関するものである。
【背景技術】
【０００２】
従来より、図６に示すような環形蛍光灯２０を備えた照明器具２１として、中央部に配置された器具本体２２と、この器具本体２２内に収納された点灯装置２３と、器具本体２２の上方に電源コード２４を介して設けられた器具取付部２５と、器具本体２２に環形蛍光灯２０を取り付けるための蛍光灯取付具２６とソケット２７を備えたものが知られている。（特許文献１）
【特許文献１】特開２００３−７１２４公報
【発明の開示】
【発明が解決しようとする課題】
【０００３】
しかしながら、上記特許文献１における照明器具２１においては、器具本体２２の下部側に蛍光灯取付具２６とソケット２７が取り付けられており、その結果器具本体２２の下部側に環形蛍光灯２０が配置されることになる。このため、天井面や壁面上部への配光が少なくなることや、照明器具自体の厚みが大きくなるという問題があった。
【０００４】
また、蛍光灯取付具２６とソケット２７は器具本体２２から突出しているため、照明器具２１を梱包する際に蛍光灯取付具２６やソケット２７が変形したり、同梱した環形蛍光灯２０が蛍光灯取付具２６から局所的な応力を受けて破壊したりするのを防止するために、梱包が複雑化するといった問題があった。
【０００５】
本発明は、かかる事由に鑑みてなしたもので、その目的とするところは、天井面や壁面上部への配光を多くすることができ、薄型で、梱包の簡易化が可能な照明器具を提供することにある。
【課題を解決するための手段】
【０００６】
上記課題を解決するために、本発明では、第１には、環形蛍光灯と、この環形蛍光灯の中心位置に配置され、環形蛍光灯の法線方向に水平に伸びて環形蛍光灯を支持する複数のアームを有する器具本体と、この器具本体の上面側の中央部に設けられた器具取付部とを備えた照明器具であって、前記環形蛍光灯と前記アームと前記器具本体とが略同一平面上に配置されてなるようにする。
【０００７】
第２には、前記アームが３本以上であり、かつ奇数本であるようにする。
【０００８】
第３には、前記アームの内部に空間部が形成され、この空間部に前記環形蛍光灯の点灯及び点灯状態の制御を行うための点灯装置が収納されてなり、アームによって器具本体が形成されてなるようにする。
【０００９】
第４には、前記点灯装置が環形蛍光灯を点灯する点灯回路部と、環形蛍光灯の点灯状態を制御する制御回路部とから構成され、この点灯回路部と制御回路部がそれぞれ別々のアームの内部に収納されてなるようにする。
【００１０】
第５には、前記アームが絶縁材料からなり、前記点灯装置が金属により覆われるようにする。
【００１１】
第６には、前記照明器具は、外部からのリモコン信号を受信して環形蛍光灯の点灯状態を変化させるとともに環形蛍光灯の点灯状態及び寿命時期を表示するリモコン制御部を備えてなり、このリモコン制御部が前記点灯装置が収納されたアームとは別のアームに収納されてなるようにする。
【発明の効果】
【００１２】
上記本発明の第１の照明器具では、環形蛍光灯とアームと器具本体とが略同一平面上に配置されてなるため、環形蛍光灯から天井面や壁面上部に向かって照射される光を遮るものがなく、その結果、天井面や壁面上部への配光を多くすることができ、照明器具の薄型化が可能となる。また、蛍光灯取付具やソケットが器具本体から突出していないので、梱包の簡易化が可能となる。
【００１３】
上記本発明の第２の照明器具では、上記第１の照明器具と同様の効果が得られ、また、奇数本のアームを用いるため、アーム同士が直線的に並ぶことがない。そのため、天井面等へ取り付ける際に照明器具の取り付け方向を意識しなくてもよくなり、デザイン性、施工性に優れた照明器具を得ることができる。また、３本以上のアームを用いて環形蛍光灯を支持するため、環形蛍光灯の安定性がよくなる。
【００１４】
上記本発明の第３の照明器具では、上記第１の照明器具と同様の効果が得られ、また、アーム内に点灯装置を収納するので、アームによって器具本体を形成することができ、デザイン性に優れた照明器具を得ることができる。
【００１５】
上記本発明の第４の照明器具では、上記第１の照明器具と同様の効果が得られ、また、点灯回路部と制御回路部とをアーム同士の間隔分だけ離して設置することができるため、点灯回路部から発生するノイズが制御回路部へ印加されるのを防止することができ、照明器具の誤動作を低減させることができる。
【００１６】
上記本発明の第５の照明器具では、上記第１の照明器具と同様の効果が得られ、また、前記アームが絶縁材料からなるので、環形蛍光灯表面と点灯装置との間に電気的接続がなくなり、環形蛍光灯から発生するノイズがアームに伝播して点灯装置に印加されるのを防止することができる。また、点灯装置が金属により覆われているので、照明器具外部からのノイズの影響を低減させることができる。その結果、照明器具の誤動作をさらに低減させることができる。さらに、点灯装置から発生するノイズが照明器具外部に影響を与えることを防止できる。
【００１７】
上記本発明の第６の照明器具では、上記第１の照明器具と同様の効果が得られ、また、環形蛍光灯の点灯状態をリモコンで制御できるとともに、点灯状態及び寿命時期を表示することができるので、使用者が照明器具の操作や状態確認を容易に行うことができて使い勝手がよくなる。
【発明を実施するための最良の形態】
【００１８】
（実施形態１）
本発明の実施形態１における照明器具１について、図１〜４に基づいて説明する。本実施形態における照明器具１は、環形蛍光灯２と、環形蛍光灯２の中心位置に配置され、環形蛍光灯２の法線方向に水平に伸びて環形蛍光灯２を支持する複数のアーム３を有する器具本体４と、この器具本体４の上面側の中央部に設けられた器具取付部５とを備えており、環形蛍光灯２とアーム３と器具本体４とが略同一平面上に配置されている。
【００１９】
器具取付部５の上面側には差し込み刃５ａが設けられており、天井に設置されたアダプタ（図示せず）に差し込んで回転させることで、照明器具１を天井に着脱自在に取り付けることができる。
【００２０】
環形蛍光灯２としては、二重環形蛍光灯が用いられており、この環形蛍光灯２は一体成形された３本の樹脂製のアーム３により支持されている。
【００２１】
このアーム３の先端には、蛍光灯収納部１１が設けられており、この蛍光灯収納部１１の内部に備えられた蛍光灯取付具１１ａ及び１１ｂに環形蛍光灯２が着脱自在に取り付けられる。また、蛍光灯収納部１１の上面側は樹脂製のキャップ１１ｃ及び１１ｄが取り付けられている。
【００２２】
また、蛍光灯収納部１１の内の１つには、ソケット部１０が備えられており、ソケット部１０において環形蛍光灯２の端子部２ａがソケット１０ａに接続されて電力が供給される。
【００２３】
アーム３の内部には空間部７が形成されており、この空間部７に環形蛍光灯２の点灯及び点灯状態の制御を行うための点灯装置８が収納されている。このように、アーム３によって器具本体４が形成されている。
【００２４】
点灯装置８は、環形蛍光灯２を点灯する点灯回路部１２と、環形蛍光灯２の点灯状態を制御する制御回路部１３とから構成されており、点灯回路部１２と制御回路部１３はそれぞれ別々のアーム３の内部に収納されている。ここで、点灯回路部１２は、図４に示すように、主に整流素子１２ａ、平滑素子１２ｂ、スイッチング素子１２ｃ、共振素子１２ｄ等から構成されている。
【００２５】
また、点灯装置８は、複数のアーム３にまたがって形成された金属製のケース９内に収納され、金属製の上蓋６で蓋がなされることによって周囲を金属で覆われた構造となっている。
【００２６】
さらに、点灯回路部１２と制御回路部１３が収納されたアーム３とは別のアーム３には、外部のリモコン送信機（図示せず）からのリモコン信号を受信する受信部１４ａと、環形蛍光灯２の調光レベル等の点灯状態を表示する点灯状態表示部１４ｂと、環形蛍光灯２の寿命時期を表示する寿命表示部１４ｃとを備えたリモコン制御部１４が備えられている。
【００２７】
リモコン制御部１４の受信部１４ａ、点灯状態表示部１４ｂ、及び寿命表示部１４ｃは照明器具１の下面側に露出した構造となっている。
【００２８】
ここで、点灯状態表示部１４ｂ及び寿命表示部１４ｃは可視発光ダイオードからなり、リモコン送信機（図示せず）からのリモコン信号によって、常夜灯として発光させることもできる。
【００２９】
次に、古くなった環形蛍光灯２を新しい環形蛍光灯２に交換する手順について説明する。まず照明器具１を天井から取り外し、器具本体４からキャップ１１ｃ及び１１ｄを取り外す。次いで、端子部２ａからソケット１０ａを取り外し、蛍光灯取付具１１ａ及び１１ｂから環形蛍光灯２を取り外すことにより、古くなった環形蛍光灯２を器具本体から取り外す。そして、新しい環形蛍光灯２を上記手順と逆の手順で取り付ければよい。
【００３０】
以上のように、本実施形態における照明器具１では、環形蛍光灯２とアーム３と器具本体４とが略同一平面上に配置されてなるため、環形蛍光灯２から天井面や壁面上部に向かって照射される光を遮るものがないため、天井面や壁面上部への配光を多くすることができる。その結果、照明器具１の上方と下方の両側への配光が可能となり、部屋の空間に広がりを持たせることができ、照明器具１の薄型化が可能となる。また、蛍光灯取付具１１ａ及び１１ｂやソケット１０ａが照明器具外へ突出した構造になっていないので、梱包の簡易化が可能となる。
【００３１】
また、奇数本のアーム３を用いることにより、アーム３同士が直線的に並ぶことがなく、偶数本のアーム３を用いた場合に比べて方向性がなくなる。そのため、天井面等へ取り付ける際に、取り付け方向を意識しなくてもよくなり、デザイン性、施工性に優れた照明器具１を得ることができる。さらに、３本以上のアーム３を用いて環形蛍光灯２を支持するため、環形蛍光灯２の安定性がよくなる。
【００３２】
また、アーム３内に点灯装置８を収納するので、アーム３によって器具本体４を形成することができ、デザイン性に優れた照明器具１を得ることができる。
【００３３】
また、点灯回路部１２と制御回路部１３とを別々のアーム３内に収納するため、アーム３同士の間隔分だけ離して設置することができるため、点灯回路部１２から発生するノイズが制御回路部１３へ印加されるのを防止することができ、照明器具１の誤動作を低減させることができる。
【００３４】
また、アーム３が絶縁材料からなるので、環形蛍光灯２表面と点灯装置８との間に電気的接続がなくなり、環形蛍光灯２から発生するノイズがアーム３に伝播して点灯装置８に印加されるのを防止することができる。また、点灯装置８が金属により覆われているので、照明器具１外部からのノイズの影響を低減させることができる。その結果、照明器具の誤動作をさらに低減させることができる。さらに、点灯装置８から発生するノイズが照明器具１外部に影響を与えることを防止できる。
【００３５】
また、環形蛍光灯２の点灯状態をリモコンで制御できるとともに、点灯状態及び寿命時期を表示することができるので、使用者が照明器具１の操作や状態確認を容易に行うことができて使い勝手がよい。
【００３６】
なお、本実施形態においては、アーム３によって器具本体４を形成しているが、これに限定されるものではなく、アーム３以外にも器具本体４を形成する部分を有していてもよい。
【００３７】
また、本実施形態においては、アーム３は絶縁材料を用いて形成しているが、これに限定されるものではなく、例えば、環形蛍光灯２表面や点灯装置８に接する部分に絶縁材料を用いる等して、環形蛍光灯２表面と点灯装置８との間に電気的接続がなくなるようにしてもよい。
【００３８】
また、本実施形態においては、照明器具１に透光性カバーを取り付けていないが、必要により照明器具１に透光性カバーを取り付けてもよい。
【００３９】
（実施形態２）
本発明の実施形態２における照明器具１について、図５に基づいて説明する。実施形態２では、器具本体４に関する部分のみが実施形態１と異なるので、その点について説明する。
【００４０】
本実施形態における照明器具１は、直線的に連結した２本のアーム３を有する器具本体４を備えている。このアーム３は樹脂材料からなり、一体成形により形成されている。
【００４１】
各アーム３の先端には、蛍光灯収納部１１が設けられており、一方のアーム３の先端にはソケット部１０が備えられている。
【００４２】
そして、一方のアーム３の内部には点灯回路部１２が収納されており、他方のアーム３の内部には制御回路部１３が収納されている。（図示せず）
本実施形態における照明器具１では、環形蛍光灯２とアーム３と器具本体４とが略同一平面上に配置されてなるため、環形蛍光灯２から天井面や壁面上部に向かって照射される光を遮るものがないため、天井面や壁面上部への配光を多くすることができる。その結果、照明器具１の上方と下方の両側への配光が可能となり、部屋の空間に広がりを持たせることができ、照明器具１の薄型化が可能となる。また、蛍光灯取付具１１ａ及び１１ｂやソケット１０ａが照明器具外へ突出した構造になっていないので、梱包の簡易化が可能となる。
【００４３】
また、直線的に連結した２本のアーム３内に点灯装置８を収納するので、アーム３のみで器具本体４を形成することができ、構造が簡単であるとともに、デザイン性に優れた照明器具１を得ることができる。
【００４４】
また、点灯回路部１２と制御回路部１３とを別々のアーム３内に収納するため、アーム３同士の間隔分だけ離して設置することができるため、点灯回路部１２から発生するノイズが制御回路部１３へ印加されるのを防止することができ、照明器具１の誤動作を低減させることができる。
【００４５】
また、アーム３が絶縁材料からなるので、環形蛍光灯２表面と点灯装置８との間に電気的接続がなくなり、環形蛍光灯２から発生するノイズがアーム３に伝播して点灯装置８に印加されるのを防止することができる。また、点灯装置８が金属により覆われているので、照明器具１外部からのノイズの影響を低減させることができる。その結果、照明器具の誤動作をさらに低減させることができる。さらに、点灯装置８から発生するノイズが照明器具１外部に影響を与えることを防止できる。
【００４６】
なお、本実施形態においては、アーム３によって器具本体４を形成しているが、これに限定されるものではなく、アーム３以外にも器具本体４を形成する部分を有していてもよい。
【００４７】
また、本実施形態においては、アーム３は絶縁材料を用いて形成しているが、これに限定されるものではなく、例えば、環形蛍光灯２表面や点灯装置８に接する部分に絶縁材料を用いる等して、環形蛍光灯２表面と点灯装置８との間に電気的接続がなくなるようにしてもよい。
【００４８】
また、本実施形態においては、照明器具１に透光性カバーを取り付けていないが、必要により照明器具１に透光性カバーを取り付けてもよい。
【図面の簡単な説明】
【００４９】
【図１】本発明の実施形態１における照明器具１を斜め上方から見た斜視図である。
【図２】同実施形態１における照明器具１の分解斜視図である。
【図３】同実施形態１における照明器具１を斜め下方から見た斜視図である。
【図４】同実施形態１における点灯装置８の回路図である。
【図５】本発明の実施形態２における照明器具１を斜め下方から見た斜視図である。
【図６】従来の照明器具２１の断面図である。
【符号の説明】
【００５０】
１  照明器具
２  環形蛍光灯
３  アーム
４  器具本体
５  器具取付部
７  空間部
８  点灯装置
１２  点灯回路部
１３  制御回路部
１４  リモコン制御部
【図１】
2005235598.tif 000003
【図２】
2005235598.tif 000004
【図３】
2005235598.tif 000005
【図４】
2005235598.tif 000006
【図５】
2005235598.tif 000007
【図６】
2005235598.tif 000008